【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
ａ）組成物の質量の５％〜５０％の陰イオン系界面活性剤；
ｂ）組成物の質量の０．０１％〜１０％の非揮発性コンディショニング剤；
ｃ）組成物の質量の０．１％〜４％の抗ふけ粒子；
ｄ）組成物の質量の０．０２％〜５％の少なくとも１つの陽イオン系ポリマー；
ｅ）組成物の質量の０．００５％〜１．５％の、式：
【化１】
2002543105.tif 000001
に一致し、
i）式中Ｒは、水素、メチル、及びこれらの混合物から成る群から選択され、
ii）式中ｎは、１，５００〜１２０，０００の平均値を有する整数であるポリアルキレングリコール；及び
ｆ）水
を含むことを特徴とするシャンプー組成物。
【請求項２】
前記の少なくとも１つの陽イオン系ポリマー成分が、グアー誘導体、好ましくはグアーヒドロキシプロピル塩化トリモニウム、セルロース誘導体、好ましくはポリクアテルニウム−１０、及びこれらの混合物から成る群から選択される請求項１に記載のシャンプー組成物。
【請求項３】
前記の少なくとも１つの陽イオン系ポリマーを、前記組成物の質量の０．１％〜１％含むことを特徴とする請求項１〜２のいずれかに記載のシャンプー組成物。
【請求項４】
前記グアー誘導体が、分子量５０，０００〜７００，０００及び電荷密度０．０５meq/g〜０．９meq/gを有し、及び前記セルロース誘導体が分子量２００，０００〜１，５００，０００、好ましくは３５０，０００〜５００，０００及び電荷密度０．２meq/g〜０．６meq/gを有する請求項１〜３のいずれかに記載のシャンプー組成物。
【請求項５】
前記非揮発性コンディショニング剤が、分散したシリコーンを含有する請求項１〜４のいずれかに記載のシャンプー組成物。
【請求項６】
前記ポリアルキレングリコールが、１，５００〜５０，０００、好ましくは３，５００〜１５，０００のｎの平均値を有する請求項１〜５のいずれかに記載のシャンプー組成物。
【請求項７】
前記抗ふけ粒子が、１−ヒドロキシ−２−ピリジンチオンの亜鉛塩であり、好ましくは前記１−ヒドロキシ−２−ピリジンチオンの亜鉛塩が小板状の粒子形状をしている請求項１〜６のいずれかに記載のシャンプー組成物。
【請求項８】
前記組成物が、更に前記組成物の質量の０．１％〜１０％の懸濁剤を含み、好ましくは前記懸濁剤がエチレングリコールジステアレートである請求項１〜７のいずれかに記載のシャンプー組成物。
【請求項９】
ａ）組成物の質量の１０％〜２５％の陰イオン系界面活性剤；
ｂ）組成物の質量の０．０１％〜１０％の不溶性、非揮発性シリコーンコンディショニング剤；
ｃ）組成物の質量の０．３％〜２％の１−ヒドロキシ−２−ピリジンチオンの亜鉛塩；
ｄ）組成物の質量の０．１％〜１％のグアー誘導体、セルロース誘導体及びこれらの混合物から成る群から選択される少なくとも１つの陽イオン系ポリマー；
ｅ）組成物の質量の０．０２５％〜１．５％の、式：
【化２】
2002543105.tif 000002
に一致し、
i）式中Ｒは、水素、メチル及びこれらの混合物から成る群から選択され、
ii）式中ｎは、３，５００〜１５，０００の平均値を有する整数であるポリアルキレングリコール；及び
ｆ）水
を含むことを特徴とする請求項１に記載のシャンプー組成物。
【請求項１０】
ａ）毛髪を水で湿潤し；
ｂ）請求項１〜９のいずれかに記載のシャンプー組成物の有効量を前記毛髪に適用し；及び
ｃ）前記毛髪から水を用いて前記シャンプー組成物をすすぐこと；
から成ることを特徴とする抗ふけ効果及び前記毛髪のコンディショニングを提供するための方法。
【請求項１１】
カルボン酸の亜鉛塩、サポニン、トリテルペン、オレアノール酸、ウルソール酸、ベツリン酸、ベツロン酸、クラタエゴール酸、セラストロール、アジアン酸、５−α−還元酵素阻害物質、プロゲステロン、１，４−メチル−４−アザステロイド、１７−β−Ｎ，Ｎ−ジエチルカルバモイル−４−メチル−４−アザ−５−α−アンドロスタン−３−オン、アンドロゲン受容体拮抗物質、酢酸シプロテロン、ミノキシジル、アゼライン酸及びその誘導体、シクロスポリン、トリヨードサイロニン、ジアゾキシド、カリウムチャンネル作動物質、クロマカリン、フェニトイン、ケトコナゾール、フィネステライド、デュテステライド、コールタール、グルコン酸亜鉛、グルココルチソイド、マクロライド、アミネキシル及びこれらの混合物から成る群から選択される育毛調節剤を組成物の質量の０．００１％〜１５％含むことを更に特徴とする請求項１〜１０のいずれかに記載のシャンプー組成物。
【請求項１２】
ａ）毛髪を水で湿潤し；
ｂ）請求項１１に記載のシャンプー組成物の有効量を前記毛髪に適用し；
ｃ）前記毛髪から水を用いて前記シャンプー組成物をすすぐこと；
から成ることを特徴とする前記毛髪の育毛を調節する方法。
【手続補正２】
【補正対象書類名】明細書
【補正対象項目名】００５３
【補正方法】変更
【補正の内容】
【００５３】
高屈折率ポリシロキサン液はまた、そのアリール置換基のために比較的表面張力が高いことで特徴付けられる。一般に、ポリシロキサン液の表面張力は、少なくとも約２．４Ｐａ、典型的には少なくとも約２．７Ｐａである。表面張力の測定は、この目的のためには、デ・ノウィ（de Nouy）リング張力計を使用して、ダウコーニング社の試験方法ＣＴＭ０４６１（１９７１年１１月２３日）に従って測定した。表面張力の変化については、上述の試験方法、又はＡＳＴＭ（アメリカ材料試験協会）方法Ｄ１３３１に従って測定できる。


【手続補正３】
【補正対象書類名】明細書
【補正対象項目名】００５６
【補正方法】変更
【補正の内容】
【００５６】
同様に展着剤は、表面張力を少なくとも約０．２Ｐａ、好ましくは少なくとも約０．３Ｐａ、より一層好ましくは少なくとも約０．４Ｐａ、最も好ましくは少なくとも約０．５Ｐａまで低下させることになる。


【手続補正４】
【補正対象書類名】明細書
【補正対象項目名】００５７
【補正方法】変更
【補正の内容】
【００５７】
ポリシロキサン液及び展着剤の混合物の表面張力は、最終製品の存在比率では、好ましくは約３Ｐａ以下、より好ましくは約２．８Ｐａ以下、最も好ましくは約２．５Ｐａ以下である。典型的には表面張力は約１．５Ｐａ〜約３Ｐａ、より典型的には約１．８Ｐａ〜約２．８Ｐａ、最も一般的には約２Ｐａ〜約２．５Ｐａの範囲となるであろう。


【手続補正５】
【補正対象書類名】明細書
【補正対象項目名】０１５６
【補正方法】変更
【補正の内容】
【０１５６】
【実施例】
本発明の抗ふけ及びコンディショニングシャンプー組成物の実施例を以下に示すがこれに限定されるものではない。これらの実施例は単に説明の目的だけで示されており、本発明の範囲から逸脱することなく本発明の多数の改変が可能であって本発明を限定するものではなく、当該分野で通常の技術の１つにより認められるものである。実施例において、特に指定のない限り、すべての濃度は質量パーセントで示されている。本明細書で使用する時、「微量成分」とは防腐剤、粘度改質剤、ｐＨ改質剤、香料、起泡増進剤などのような任意成分を表す。当該分野での通常の技術の１つに明白なように、このような微量成分の選択は、本明細書に記載された本発明を作成するために選択された粒子状成分の物理的及び化学的特性に依存して変化することになる。